(57)【要約】【課題】ガス絶縁開閉装置の主回路が通電中、電圧変成部の高圧端子を開閉駆動する操作装置にロック装置を設けたガス絶縁計器用変圧器を提供する。【解決手段】本発明に係るガス絶縁計器用変圧器は、容器１１内に収容する電圧変成部１２の高圧端子１６に、前記容器１１の外部より気密に介挿された接続導体１８との接離を行わせる高圧側着脱接触可動部１３を備えるとともに、この高圧側着脱接触可動部１３の駆動を操作する操作装置１９を備えたガス絶縁計器用変圧器において、前記操作装置１９に接続する折畳み式ハンドル軸部２２と、この折畳み式ハンドル軸部２２に設けられたロック機構２５に前記高圧端子１６が通電中、ロック指令を出して前記折畳み式ハンドル軸部２２をロックさせ、前記高圧端子１６が無電状態のとき、前記ロック機構２５にロック解除指令を出して前記折畳み式ハンドル軸部２２を作動せしめる制御指令部２４を備えた。【選択図】  図３
2004273857.tif 000002
【特許請求の範囲】
【請求項１】
容器内に収容する電圧変成部の高圧端子に、前記容器の外部より気密に介挿された接続導体との接離を行わせる高圧側着脱接触可動部を備えるとともに、この高圧側着脱接触可動部の駆動を操作する操作装置を備えたガス絶縁計器用変圧器において、前記操作装置に接続する折畳み式ハンドル軸部と、この折畳み式ハンドル軸部に設けられたロック機構に前記高圧端子が通電中、ロック指令を出して前記折畳み式ハンドル軸部をロックさせ、前記高圧端子が無電状態のとき、前記ロック機構にロック解除指令を出して前記折畳み式ハンドル軸部を作動せしめる制御指令部を備えたことを特徴とするガス絶縁計器用変圧器。
【請求項２】
折畳み式ハンドル軸部は、複数のハンドル軸部で構成し、そのうちの一つにハンドル把持部を回転自在に支持する支持ピンを備えたことを特徴とする請求項１記載のガス絶縁計器用変圧器。
【請求項３】
容器内に収容する電圧変成部の高圧端子に、前記容器の外部より気密に介挿された接続導体との接離を行わせる高圧側着脱接触可動部を備えるとともに、この高圧側着脱接触可動部の駆動を操作する操作装置を備えたガス絶縁計器用変圧器において、前記操作装置の絶縁軸に差し込む差込み式ハンドル装置と、前記絶縁軸の差込み穴に設けたシャッタと、高圧端子が通電中、前記シャッタに前記差込み穴を塞ぐ指令を出して前記差込み式ハンドル装置をロックさせ、前記高圧端子が無電状態のとき、前記シャッタに前記差込み穴を開放する指令を出して前記差込み式ハンドル装置を作動せしめる制御指令部とを備えたことを特徴とするガス絶縁計器用変圧器。
【請求項４】
容器内に収容する電圧変成部の高圧端子に、前記容器の外部より気密に介挿された接続導体との接離を行わせる高圧側着脱接触可動部を備えるとともに、この高圧側着脱接触可動部の駆動を操作する操作装置を備えたガス絶縁計器用変圧器において、前記操作装置の絶縁軸に設けられ、ガイドを備えたハンドル装置と、前記ガイドの作動を拘束、無拘束自在させるストッパと、前記高圧端子が通電中、前記ストッパに突出し指令を出して前記ガイドを拘束して前記ハンドル装置をロックさせ、前記高圧端子が無電状態のとき、前記ストッパに沈み込み指令を出して前記ガイドをロック解除させ、前記ハンドル装置を作動せしめる制御指令部とを備えたことを特徴とするガス絶縁計器用変圧器。
【請求項５】
容器内に収容する電圧変成部の高圧端子に、前記容器の外部より気密に介挿された接続導体との接離を行わせる高圧側着脱接触可動部を備えるとともに、この高圧側着脱接触可動部の駆動を操作する操作装置を備えたガス絶縁計器用変圧器において、前記操作装置の絶縁軸に設けられ、クランプに囲われた昇降板と、前記絶縁軸に設けたハンドル装置と、前記高圧端子が通電中、前記クランプに押圧力を与えて前記昇降板を拘束して前記ハンドル装置をロックさせ、前記高圧端子が無電状態のとき、前記クランプから前記昇降板に与える押圧力を解除して前記ハンドル装置を作動せしめる制御指令部とを備えたことを特徴とするガス絶縁計器用変圧器。
【請求項６】
容器内に収容する電圧変成部の高圧端子に、前記容器の外部より気密に介挿された接続導体との接離を行わせる高圧側着脱接触可動部を備えるとともに、この高圧側着脱接触可動部の駆動を操作する操作装置を備えたガス絶縁計器用変圧器において、前記操作装置の絶縁軸に設けたクラッチ板と、前記絶縁軸に設けたハンドル装置と、前記高圧端子が通電中、前記クラッチ板に軸結合指令を解除して前記ハンドル装置をロックさせ、前記高圧端子が無電状態のとき、前記クラッチ板に軸結合指令を出して前記ハンドル装置を作動せしめる制御指令部とを備えたことを特徴とするガス絶縁計器用変圧器。
【請求項７】
容器内に収容する電圧変成部の高圧端子に、前記容器の外部より気密に介挿された接続導体との接離を行わせる高圧側着脱接触可動部を備えるとともに、この高圧側着脱接触可動部の駆動を操作する操作装置を備えたガス絶縁計器用変圧器において、前記操作装置の絶縁軸に設けた電気粘性流体クラッチと、前記絶縁軸に設けたハンドル装置と、前記高圧端子が通電中、前記電気粘性流体クラッチに軸結合指令を解除して前記ハンドル装置をロックさせ、前記高圧端子が無電状態のとき、前記電気粘性流体クラッチに軸結合指令を出して前記ハンドル装置を作動せしめる制御指令部とを備えたことを特徴とするガス絶縁計器用変圧器。
【発明の詳細な説明】
【０００１】
【発明の属する技術分野】
本発明は、ガス絶縁開閉装置の高圧回路に対し、接続、切離しが容易なガス絶縁計器用変圧器の改良に関する。
【０００２】
【従来の技術】
従来、ガス絶縁計器用変圧器は、ガス絶縁開閉装置（ＧＩＳ）に設けられ、高電圧回路の電圧変成を行うものであるが、ガス絶縁開閉装置に直流または交流を通電させる課電試験を行う場合、ガス絶縁開閉装置の高電圧回路から切り離すか、あるいは独立の断路装置を設けて切離しを行っていた。
【０００３】
また、最近のガス絶縁計器用変圧器では、ガス絶縁開閉装置の高電圧回路との接続、切離し機構の開発が進歩し、ガス絶縁開閉装置に取り付けたままの状態であっても、ガス絶縁開閉装置の交流耐電圧試験やケーブルの直流耐電圧試験等を行うことができるようになっており、その構成として図８に示すものがある。なお、図８は、三相形ガス絶縁計器用変圧器を一例として示している。
【０００４】
三相形ガス絶縁計器用変圧器は、絶縁ガスａを充填し、三相分の電圧変成部２を収容する筒状の容器１と、この筒状の容器１の頂部開口部側に設けた三相用の絶縁スペーサ３とを備えている。
【０００５】
また、三相形ガス絶縁計器用変圧器は、筒状の容器１に設けた三相用の絶縁スペーサ３の気密性を維持させつつ貫通する高圧導体４を設けるとともに、高圧導体４の一端部に接続導体７を備えている。なお、高圧導体４の他端部は、ガス絶縁開閉装置の高圧線路（図示せず）に接続している。
【０００６】
一方、電圧変成部２は、高圧導体４の接続導体７と接続、切離しが容易な高圧側着脱接触可動部１０を備えている。
【０００７】
この高圧側着脱接触可動部１０は、電圧変成部２から絶縁スペーサ３側に向って延びる高電圧側端部５と、この高電圧側端部５の先端に設けられ、進退自在に摺動する高圧端子６とを備え、高圧端子６を高圧導体４の接続導体７に対し、接続、切離しを容易にしている。
【０００８】
また、三相形ガス絶縁計器用変圧器は、筒状の容器１の頂部側に設けた絶縁スペーサ３と反対側の位置に操作装置８を備えている。
【０００９】
この操作装置８は、Ｔ字状に形成する絶縁棒９と、Ｔ字状の両先端部に設けた高圧端子６とを備えて構成されている。
【００１０】
このような構成を備えた三相形ガス絶縁計器用変圧器は、特開２００２−８４６１０号公報（例えば、特許文献１参照）に見られるように、操作装置８の駆動力で絶縁棒９を進退させ、この進退力に伴って高圧端子６が追従するから、高圧端子６と高圧導体４の接続導体７との間で接続、切離しを自在に行うことができる。
【００１１】
したがって、従来の三相形ガス絶縁計器用変圧器では、課電試験時、高圧端子６が高圧導体４の接続導体７から確実に切り離されているので、電圧変成部２に電流が通電されることもなく、充分に安全なテストを行うことができる。
【００１２】
【特許文献１】
特開２００２−８４６１０号公報
【００１３】
【発明が解決しようとする課題】
ところで、従来の三相形ガス絶縁計器用変圧器は、課電試験時、電圧変成部２に電流が通電されていないので、充分に安全なテストを行うことができるものの、それでも幾つかの問題点があり、その一つに絶縁耐力不足がある。
【００１４】
従来、３相形ガス絶縁計器用変圧器は、高圧側着脱接触可動部１０が無電状態での切離しが行われることを想定し設計しているため、通電状態から急に電圧変成部２の切離しを行うと、電圧変成部２等に絶縁耐力不足が生じ、絶縁破壊を起こすことがあった。
【００１５】
このため、三相形ガス絶縁計器用変圧器は、操作装置８を駆動する場合、高圧側着脱接触可動部１０やガス絶縁開閉装置の主回路等が無電状態であったかの有無を確認する一方、高圧側着脱接触可動部１０を接続、切離しを行う場合、ガス絶縁開閉装置への通電の有無を確認しなければならず、操作員により多くの労力と通電に伴う危険性とを強いていた。
【００１６】
このような事情から、三相形ガス絶縁計器用変圧器には、例えばガス絶縁開閉装置の主回路等が通電状態の場合、高圧側着脱接触可動部１０の開閉ができない機構を持った保護安全装置の設置が望まれていた。
【００１７】
本発明は、このような事情に基づいてなされたもので、高圧側着脱接触可動部の接続、切離しを行う際、高圧側着脱接触可動部等の絶縁破壊を防止させるとともに、操作員の労力軽減と相俟って危険性を防止するガス絶縁計器用変圧器を提供することを目的とする。
【００１８】
【課題を解決するための手段】
本発明に係るガス絶縁計器用変圧器は、上述の目的を達成するために、請求項１に記載したように、容器内に収容する電圧変成部の高圧端子に、前記容器の外部より気密に介挿された接続導体との接離を行わせる高圧側着脱接触可動部を備えるとともに、この高圧側着脱接触可動部の駆動を操作する操作装置を備えたガス絶縁計器用変圧器において、前記操作装置に接続する折畳み式ハンドル軸部と、この折畳み式ハンドル軸部に設けられたロック機構に前記高圧端子が通電中、ロック指令を出して前記折畳み式ハンドル軸部をロックさせ、前記高圧端子が無電状態のとき、前記ロック機構にロック解除指令を出して前記折畳み式ハンドル軸部を作動せしめる制御指令部を備えたものである。
【００１９】
また、本発明に係るガス絶縁計器用変圧器は、上述の目的を達成するために、請求項２に記載したように、折畳み式ハンドル軸部は、複数のハンドル軸部で構成し、そのうちの一つにハンドル把持部を回転自在に支持する支持ピンを備えたものである。
【００２０】
また、本発明に係るガス絶縁計器用変圧器は、上述の目的を達成するために、請求項３に記載したように、容器内に収容する電圧変成部の高圧端子に、前記容器の外部より気密に介挿された接続導体との接離を行わせる高圧側着脱接触可動部を備えるとともに、この高圧側着脱接触可動部の駆動を操作する操作装置を備えたガス絶縁計器用変圧器において、前記操作装置の絶縁軸に差し込む差込み式ハンドル装置と、前記絶縁軸の差込み穴に設けたシャッタと、高圧端子が通電中、前記シャッタに前記差込み穴を塞ぐ指令を出して前記差込み式ハンドル装置をロックさせ、前記高圧端子が無電状態のとき、前記シャッタに前記差込み穴を開放する指令を出して前記差込み式ハンドル装置を作動せしめる制御指令部とを備えたものである。
【００２１】
また、本発明に係るガス絶縁計器用変圧器は、上述の目的を達成するために、請求項４に記載したように、容器内に収容する電圧変成部の高圧端子に、前記容器の外部より気密に介挿された接続導体との接離を行わせる高圧側着脱接触可動部を備えるとともに、この高圧側着脱接触可動部の駆動を操作する操作装置を備えたガス絶縁計器用変圧器において、前記操作装置の絶縁軸に設けられ、ガイドを備えたハンドル装置と、前記ガイドの作動を拘束、無拘束自在させるストッパと、前記高圧端子が通電中、前記ストッパに突出し指令を出して前記ガイドを拘束して前記ハンドル装置をロックさせ、前記高圧端子が無電状態のとき、前記ストッパに沈み込み指令を出して前記ガイドをロック解除させ、前記ハンドル装置を作動せしめる制御指令部とを備えたものである。
【００２２】
また、本発明に係るガス絶縁計器用変圧器は、上述の目的を達成するために、請求項５に記載したように、容器内に収容する電圧変成部の高圧端子に、前記容器の外部より気密に介挿された接続導体との接離を行わせる高圧側着脱接触可動部を備えるとともに、この高圧側着脱接触可動部の駆動を操作する操作装置を備えたガス絶縁計器用変圧器において、前記操作装置の絶縁軸に設けられ、クランプに囲われた昇降板と、前記絶縁軸に設けたハンドル装置と、前記高圧端子が通電中、前記クランプに押圧力を与えて前記昇降板を拘束して前記ハンドル装置をロックさせ、前記高圧端子が無電状態のとき、前記クランプから前記昇降板に与える押圧力を解除して前記ハンドル装置を作動せしめる制御指令部とを備えたものである。
【００２３】
また、本発明に係るガス絶縁計器用変圧器は、上述の目的を達成するために、請求項６に記載したように、容器内に収容する電圧変成部の高圧端子に、前記容器の外部より気密に介挿された接続導体との接離を行わせる高圧側着脱接触可動部を備えるとともに、この高圧側着脱接触可動部の駆動を操作する操作装置を備えたガス絶縁計器用変圧器において、前記操作装置の絶縁軸に設けたクラッチ板と、前記絶縁軸に設けたハンドル装置と、前記高圧端子が通電中、前記クラッチ板に軸結合指令を解除して前記ハンドル装置をロックさせ、前記高圧端子が無電状態のとき、前記クラッチ板に軸結合指令を出して前記ハンドル装置を作動せしめる制御指令部とを備えたものである。
【００２４】
また、本発明に係るガス絶縁計器用変圧器は、上述の目的を達成するために、請求項７に記載したように、容器内に収容する電圧変成部の高圧端子に、前記容器の外部より気密に介挿された接続導体との接離を行わせる高圧側着脱接触可動部を備えるとともに、この高圧側着脱接触可動部の駆動を操作する操作装置を備えたガス絶縁計器用変圧器において、前記操作装置の絶縁軸に設けた電気粘性流体クラッチと、前記絶縁軸に設けたハンドル装置と、前記高圧端子が通電中、前記電気粘性流体クラッチに軸結合指令を解除して前記ハンドル装置をロックさせ、前記高圧端子が無電状態のとき、前記電気粘性流体クラッチに軸結合指令を出して前記ハンドル装置を作動せしめる制御指令部とを備えたものである。
【００２５】
【発明の実施の形態】
以下、本発明に係るガス絶縁計器用変圧器の実施形態を図面および図面に付した符号を引用して説明する。
【００２６】
図１および図２は、本発明に係るガス絶縁計器用変圧器の第１実施形態を示す概念図である。なお、図１は、本発明に係るガス絶縁計器用変圧器の縦断面図であり、図２は図１のＡ−Ａ矢視方向切断断面図である。また、本実施形態に係るガス絶縁計器用変圧器は、例示として三相形を適用対象としているが、これに限らず、単相または二相形でも適用される。
【００２７】
図１および図２には、本実施形態に係る三相形ガス絶縁計器用変圧器において、絶縁ガスを充填し、三相分の電圧変成部１２と高圧側着脱接触可動部１３とを収容する筒状の容器１１が示されている。
【００２８】
この筒状の容器１１は、頂部開口部側の高圧側着脱接触可動部１３に接続する絶縁スペーサ１４を備えるとともに、その反対側の底部側に電圧変成部１２に接続する操作装置１９を備えている。
【００２９】
高圧側着脱接触可動部１３は、電圧変成部１２から絶縁スペーサ１４側に向って延びる高電圧側端子１５と、この高電圧側端子１５の先端に設けられ、進退自在に摺動する高圧端子１６とを備えるとともに、高圧端子１６に対向配置する高圧導体１７の接続導体１８とを備え、接続導体１８に対し、接続、切離しの操作を容易に行える構成になっている。
【００３０】
また、絶縁スペーサ１４は、気密性を維持しつつ、貫通する高圧導体１７を備えるとともに、高圧導体１７の一端部に接続導体１８を備えている。
【００３１】
また、操作装置１９は、枝状のアーム軸２０ｂ，２０ｃと幹部としての駆動軸２０ａとでＴ字状に形成した絶縁軸２０を備え、アーム軸２０ｂ，２０ｃに接続する高圧端子１６，１６を高圧側導体接触可動部１３の接続導体１８に対し、接続（接触）、切離しを行っている。
【００３２】
このような構成を備えるガス絶縁計器用変圧器のうち、操作装置１９の構成を今少し詳しく説明する。
【００３３】
操作装置１９は、ボックス状のケース２１内に収容され、容器１１内から延びる絶縁軸２０と、この絶縁軸２０に接続し、ケース２１の外側に設けられた折畳み式ハンドル軸部２２と、折畳み式ハンドル軸部２２に装着したハンドル把持部２３と、ガス絶縁開閉装置の主回路（図示せず）が通電しているとき、折畳み式ハンドル軸部２２にロック指令を与える制御指令部２４とで構成されている。
【００３４】
また、折畳み式ハンドル軸部２２は、図３（ｂ）〜（ｇ）に示すように、第１折畳み式ハンドル軸部２２ａと第２折畳み式ハンドル軸部２２ｂとに区分けして折畳みができるよう構成するとともに、第２折畳み式ハンドル軸部２２ｂを第１折畳み式ハンドル軸部２２ａに折り畳んだとき、第２折畳み式ハンドル軸部２２ｂをロックするロックピン２５とで構成されている。
【００３５】
このような構成を備えた折畳み式ハンドル軸部２２は、ガス絶縁開閉装置の課電試験開始のとき、ガス絶縁開閉装置の主回路に通電されていないことがわかると、図３（ｅ）に示すように、制御指令部２４から第２折畳み式ハンドル軸部２２ｂのロックピン２５にロック解除指令が与えられ、この指令に基づいて図３（ｄ）に示すように、第２折畳み式ハンドル軸部２２ｂを第１折畳み式ハンドル軸部２２ａから開き、さらに、図３（ｃ）に示すように、ハンドル把持部２３を回転自在に支持する支持ピン２６を介して起こす。
【００３６】
折畳み式ハンドル軸部２２の準備が終ると、操作装置１９は、図３（ｂ）に示すように、ハンドル把持部２３を矢印ＡＲの方向に回転させ、この回転駆動力を絶縁軸２０に伝えて高圧側着脱接触可動部の高圧端子を高圧導体の接続導体から切り離す。
【００３７】
他方、ガス絶縁開閉装置の主回路が通電中の場合、第２折畳み式ハンドル軸部２２ｂは、図３（ｆ）に示すように、制御指令部２４からのロック解除指令が出ないので、第１折畳み式ハンドル軸部２２ａに折り畳まれたままロックされる。
【００３８】
このように、本実施形態は、電圧変成部の高圧端子を駆動する操作装置１９の折畳み式ハンドル軸部２２にロック機構を設け、ガス絶縁開閉装置の主回路が通電中でないとき、制御指令部２４から折畳み式ハンドル軸部２２のロックピン２５にロック解除指令を出す構成にしたので、高圧側着脱接触可動部の切離しを行う場合、急な操作によって発生する衝撃力に基づく高圧側着脱接触可動部等の絶縁破壊を防止でき、操作員の操作に伴う危険性を防止することができる。
【００３９】
図４は、本発明に係るガス絶縁計器用変圧器の第２実施形態を示す概念図である。なお、図４中、（ａ）は本発明に係るガス絶縁計器用変圧器に適用する操作装置の部分図、（ｂ）〜（ｌ）は操作装置の作動手順を示す図である。また、第１実施形態の構成要素と同一構成要素には同一符号を付す。
【００４０】
本実施形態に係る操作装置１９は、ボックス状のケース２１内に収容され、容器１１から延びる絶縁軸２０と、この絶縁軸２０に接続、切離し自在な差込み式ハンドル装置２７と、ガス絶縁開閉装置の主回路（図示せず）が通電しているとき、ケース２１に設けた差込み穴２８を塞ぎ、ガス絶縁開閉装置の主回路が無電状態のとき、ケース２１に設けた差込み穴２８を開放するシャッタ２９に開閉制御指令を与える制御指令部２４とで構成されている。
【００４１】
また、差込み式ハンドル装置２７は、図４（ｂ）に示すように、ハンドル軸部３０の一端に差込みピン３１を、他端にハンドル把持部２３とを備えている。
【００４２】
このような構成を備えた差込み式ハンドル装置２７は、ガス絶縁開閉装置の課電試験開始のとき、ガス絶縁開閉装置の主回路に通電されていないことがわかると、図４（ｃ）に示すように、制御指令部２４からシャッタ２９にロック解除指令が与えられ、シャッタ２９が図示の位置に移動する。
【００４３】
シャッタ２９が図示の位置に移動し、ケース２１に設けた差込み穴２８が開放されると、差込み式ハンドル装置２７は、ハンドル軸部３０の差込みピン３１を差込み穴２８に挿通させる。
【００４４】
差込み式ハンドル装置２７の準備が終ると、操作装置１９は、ハンドル把持部２３を矢印ＡＲの方向に回転させ、この回転駆動力を絶縁軸２９に伝えて高圧側着脱接触可動部の高圧端子を高圧導体の接続導体から切り離す。
【００４５】
他方、ガス絶縁開閉装置の主回路が通電中の場合、シャッタ２９は、図４（ｄ）に示すように、制御指令部２４からのロック解除指令が出ないので、閉じたままになる。このため、ケース２１に設けた差込み穴２８はシャッタ２９で閉じたままになるので、差込み式ハンドル装置２７の差込みが防止される。
【００４６】
このように、本実施形態は、電圧変成部の高圧端子を駆動する操作装置１９に差込み式ハンドル装置２７を設けるとともに、ケース２１に設けた差込み穴２８にシャッタ２９を設け、ガス絶縁開閉装置の主回路が通電中でないとき、制御指令部２４からシャッタ２９にロック解除指令を出し、差込み式ハンドル装置２７を差込み穴２８はに挿通させる構成にしたので、高圧側着脱接触可動部の切離しを行う場合、急な操作によって発生する衝撃力に基づく高圧側着脱接触可動部の絶縁破壊を防止でき、操作員の操作に伴う危険性を防止することができる。
【００４７】
図５は、本発明に係るガス絶縁計器用変圧器の第３実施形態を示す概念図である。なお、図５中、（ａ）は本発明に係るガス絶縁計器用変圧器に適用する操作装置の部分図、（ｂ）〜（ｃ）は操作装置の作動手順を示す図である。また、第１実施形態の構成要素と同一構成要素には同一符号を付す。
【００４８】
本実施形態に係る操作装置１９は、ボックス状のケース２１内に収容され、容器１１から延びる絶縁軸２０と、この絶縁軸２０に設けた差込み式ハンドル装置２７と、ガス絶縁開閉装置の主回路（図示せず）が通電しているとき、ケース３２に設けたガイド３３をロックさせ、ガス絶縁開閉装置の主回路が無電状態のとき、ハンドル装置３２に設けたガイド３３を開放するストッパ３４と、このストッパ３４にガス絶縁開閉装置の主回路が通電しているとき、ストッパ３４に突出し指令を出し、位置“ａ”に移動させてガイド３３をロックさせ、ガス絶縁開閉装置の主回路が無電状態のとき、ストッパ３４に沈み込み指令を出し、位置“ｂ”に移動させてガイド３３を開放する制御指令部２４とで構成されている。
【００４９】
また、ハンドル装置３２は、ハンドル軸部３０の一端をガイド３３に接続し、他端にハンドル把持部２３を備えている。
【００５０】
このような構成を備えたハンドル装置３２は、ガス絶縁開閉装置の課電試験開始のとき、ガス絶縁開閉装置の主回路に通電されていないことがわかると、図５（ｂ）に示すように、制御指令部２４からストッパ３４に沈み込み指令が出され、ストッパ３４を位置“ｂ”に沈み込ませ、ガイド３３をハンドル軸部３０と同期させ、ハンドル把持部２３を矢印ＡＲの方向に回転させ、この回転駆動力を絶縁軸２０に伝えて高圧側着脱接触可動部の高圧端子を高圧導体の接続導体から切り離す。
【００５１】
他方、ガス絶縁開閉装置の主回路が通電中の場合、図５（ｃ）に示すように、制御指令部２４からストッパ３４にロック解除指令が出ないので、ストッパ３４を位置“ａ”に突出させ、ハンドル装置３２をロックさせる。
【００５２】
このように、本実施形態は、電圧変成部の高圧端子を駆動する操作装置１９にハンドル装置３２を設けるとともに、このハンドル装置３２にガイド３３とストッパ３４を備え、ガス絶縁開閉装置の主回路が通電中でないとき、制御指令部２４からストッパ３４に沈み込み指令を出し、ガイド３３に同期させてハンドル軸部３０を回転させる構成にしたので、高圧側着脱接触可動部の切離しを行う場合、急な操作によって発生する衝撃力に基づく高圧側着脱接触可動部等の絶縁破壊を防止でき、操作員の操作に伴う危険性を防止することができる。
【００５３】
図６は、本発明に係るガス絶縁計器用変圧器の第４実施形態を示す概念図である。なお、図６中、（ａ）は本発明に係るガス絶縁計器用変圧器に適用する操作装置の部分図、（ｂ）〜（ｃ）は操作装置の作動手順を示す図である。また、第１実施形態の構成要素と同一構成要素には同一符号を付す。
【００５４】
本実施形態に係る操作装置１９は、ボックス状のケース２１内に収容され、容器１１から延びる絶縁軸２０と、この絶縁軸２０に設けた昇降板３５を囲うクランプ３６と、このクランプ３６を介して絶縁軸２０に接続するハンドル装置３２と、ガス絶縁開閉装置の主回路（図示せず）が通電しているとき、クランプ３６から昇降板３５をロックさせ、ガス絶縁開閉装置の主回路が無電状態のとき、クランプ３６から昇降板３５に与えていた押圧力を解除し、昇降板３５に開放指令を出す制御指令部２４とで構成されている。
【００５５】
また、ハンドル装置３２は、ハンドル軸部３０の一端を絶縁軸２０に接続し、他端にハンドル把持部２３を備えている。
【００５６】
このような構成を備えたハンドル装置３２は、ガス絶縁開閉装置の課電試験開始のとき、ガス絶縁開閉装置の主回路に通電されていないことがわかると、図６（ｂ）に示すように、制御指令部２４からクランプ３６に昇降板３５のや押圧力解除指令が出され、昇降板３５を開放させ、ハンドル把持部２３を回転させ、この回転駆動力を絶縁軸２０に伝えて高圧側着脱接触可動部の高圧端子を高圧導体の接続導体から切り離す。
【００５７】
他方、ガス絶縁開閉装置の主回路が通電中の場合、図６（ｃ）に示すように、制御指令部２４からクランプ３６に昇降板３５の押圧力解除指令が出ないので、クランプ３６から昇降板３５に押圧力を与えたまま、ハンドル装置３２をロックさせる。
【００５８】
このように、本実施形態は、電圧変成部の高圧端子を駆動する操作装置１９にハンドル装置３２を設けるとともに、このハンドル装置３２に昇降板３５とクランプ３６を備え、ガス絶縁開閉装置の主回路が通電中でないとき、制御指令部２４からクランプ３６に昇降板３５への押圧力解除指令を出し、ハンドル軸部３０を回転させる構成にしたので、高圧側着脱接触可動部の切離しを行う場合、急な操作によって発生する衝撃力に基づく高圧側着脱接触可動部等の絶縁破壊を防止でき、操作員の操作に伴う危険性を防止することができる。
【００５９】
図７は、本発明に係るガス絶縁計器用変圧器の第５実施形態を示す概念図である。なお、図７中、（ａ）は本発明に係るガス絶縁計器用変圧器に適用する操作装置の部分図、（ｂ）〜（ｄ）は操作装置の作動手順を示す図である。また、第１実施形態の構成要素と同一構成要素には同一符号を付す。
【００６０】
本実施形態に係る操作装置１９は、ボックス状のケース２１内に収容され、容器１１から延びる絶縁軸２０と、この絶縁軸２０に設けたクラッチ板３７と、このクラッチ板３７を介して絶縁軸２０に接続するハンドル装置３２と、ガス絶縁開閉装置の主回路（図示せず）が通電しているとき、クラッチ板３７に与えていた軸結合に基づく摩擦力を解除する指令を出し、ガス絶縁開閉装置の主回路が無電状態のとき、クラッチ板３７に軸結合に基づく摩擦力を与える指令を出す制御指令部２４とで構成されている。なお、本実施形態は、操作装置１９にクラッチ板３７を設けているが、このクラッチ板３７に限らず電気粘性流体クラッチ３８でもよい。
【００６１】
また、差込み式ハンドル装置２７は、ハンドル軸部３０の一端を絶縁軸２０に接続し、他端にハンドル把持部２３とを備えている。
【００６２】
このような構成を備えたハンドル装置３２は、ガス絶縁開閉装置の課電試験開始のとき、ガス絶縁開閉装置の主回路に通電されていないことがわかると、図７（ｃ）に示すように、制御指令部２４からクラッチ板３７（電気粘性流体クラッチ３８）に軸結合の指令を出し、軸結合に基づく摩擦力を利用して図７（ｂ）に示すように、ハンドル把持部２３を矢印ＡＲの方向に回転させ、この回転駆動力を絶縁軸２０に伝えて高圧側着脱接触可動部の高圧端子を高圧導体の接続導体から切り離す。
【００６３】
他方、ガス絶縁開閉装置の主回路が通電中の場合、図７（ｄ）に示すように、制御指令部２４からクラッチ板３７（電気粘性流体クラッチ３８）に軸結合指令が出ないので、クラッチ板３７（電気粘性流体クラッチ３８）は切り離された状態になる。
【００６４】
したがって、ハンドル把持部２３からクラッチ板３７（電気粘性流体クラッチ３８）に回転力が与えられても、クラッチ板３７（電気粘性流体クラッチ３８）は絶縁軸２０と切り離されているので、その回転駆動力が絶縁軸２０に伝わらず、ハンドル装置３２をロック状態にさせる。
【００６５】
このように、本実施形態は、電圧変成部の高圧端子を駆動する操作装置１９にハンドル装置３２を設けるとともに、このハンドル装置３２にクラッチ板３７（電気粘性流体クラッチ３８）を備え、ガス絶縁開閉装置の主回路が通電中でないとき、制御指令部２４からクラッチ板３７（電気粘性流体クラッチ３８）に軸結合指令を出し、その際、軸結合に基づく摩擦力を利用してハンドル軸部３０を回転させる構成にしたので、高圧側着脱接触可動部の切離しを行う場合、操作装置の急な操作によって発生する衝撃力に基づく高圧側着脱接触可動部等の絶縁破壊を防止でき、操作員の操作に伴う危険性を防止することができる。
【００６６】
【発明の効果】
以上の説明のとおり、本発明に係るガス絶縁計器用変圧器は、電圧変成部の高圧端子を駆動する操作装置にハンドル装置を設け、このハンドル装置に、ガス絶縁開閉装置の主回路が無電状態のときロックを解除し、ガス絶縁開閉装置の主回路が通電中のときロックを維持させる手段を備えたので、高圧側着脱接触可動部の操作を危険な操作を伴わない安定した状態で行うことができる。
【図面の簡単な説明】
【図１】本発明に係るガス絶縁計器用変圧器の第１実施形態を示す縦断面図。
【図２】図１のＡ−Ａ矢視方向から切断した切断断面図。
【図３】本発明に係るガス絶縁計器用変圧器に適用する操作装置の概念図で、（ａ）は操作装置の部分図、（ｂ）は図３（ａ）のＢ−Ｂ矢視方向から見た平面図、（ｃ）〜（ｆ）は操作装置の作動手順を示す図。
【図４】本発明に係るガス絶縁計器用変圧器の第２実施形態を示す概念図で、（ａ）は本発明に係るガス絶縁計器用変圧器に適用する操作装置の部分図、（ｂ）〜（ｄ）は操作装置の作動手順を示す図。
【図５】本発明に係るガス絶縁計器用変圧器の第３実施形態を示す概念図で、（ａ）は本発明に係るガス絶縁計器用変圧器に適用する操作装置の部分図、（ｂ）〜（ｄ）は操作装置の作動手順を示す図。
【図６】本発明に係るガス絶縁計器用変圧器の第４実施形態を示す概念図で、（ａ）は本発明に係るガス絶縁計器用変圧器に適用する操作装置の部分図、（ｂ）〜（ｄ）は操作装置の作動手順を示す図。
【図７】本発明に係るガス絶縁計器用変圧器の第５実施形態を示す概念図で、（ａ）は本発明に係るガス絶縁計器用変圧器に適用する操作装置の部分図、（ｂ）〜（ｄ）は操作装置の作動手順を示す図。
【図８】従来のガス絶縁計器用変圧器を示す概略縦断面図。
【符号の説明】
１  容器
２  電圧変成部
３  絶縁スペーサ
４  高圧導体
５  高電圧側端部
６  高圧端子
７  接触導体
８  操作装置
９  絶縁棒
１０  高圧側着脱接触可動部
１１  容器
１２  電圧変成部
１３  高圧側着脱接触可動部
１４  絶縁スペーサ
１５  高圧側端子
１６  高圧端子
１７  高圧導体
１８  接続導体
１９  操作装置
２０  絶縁軸
２１  ケース
２２  折畳み式ハンドル軸部
２２ａ  第１折畳み式ハンドル軸部
２２ｂ  第２折畳み式ハンドル軸部
２３  ハンドル把手部
２４  制御指令部
２５  ロックピン
２６  支持ピン
２７  差込み式ハンドル装置
２８  差込み穴
２９  シャッタ
３０  ハンドル軸部
３１  差込みピン
３２  ハンドル装置
３３  ガイド
３４  ストッパ
３５  昇降板
３６  クランプ
３７  クラッチ板
３８  電気粘性流体クラッチ
【図１】
2004273857.tif 000003
【図２】
2004273857.tif 000004
【図３】
2004273857.tif 000005
【図４】
2004273857.tif 000006
【図５】
2004273857.tif 000007
【図６】
2004273857.tif 000008
【図７】
2004273857.tif 000009
【図８】
2004273857.tif 000010